(57)【要約】【課題】横葺き外装材を桁行き方向に接続する部分において、隙間を塞いで雨水の侵入を防ぐことができる横葺き外装材の接続構造、横葺き外装構造の施工方法、及び接続部材を提供する。【解決手段】本発明の横葺き外装材１の接続構造は、接続部材２が、水下側の端縁を裏面側に折り返した返し片２３の下面に、敷設状態において隣接する各横葺き外装材１の水下側成形部１３が当接する止水材３Ａを設け、接続部材は、水下側に配設した横葺き外装材１の水上側成形部１４に、返し片２３が係合し、桁行き方向に隣接する横葺き外装材１，１は、接続部材２の被係合部２１に、折返し係合部１２が係合し、接続部材２の止水材３Ａに、水下側成形部１３が当接していることを特徴とする。【選択図】  図１
2004278065.tif 000002
【特許請求の範囲】
【請求項１】
面板部の水下・水上側に相互に係合可能な水下側成形部、水上側成形部を有する横葺き外装材を接続部材を用いて桁行き方向に接続する横葺き外装材の接続構造において、
前記横葺き外装材は、面板部の桁行き方向の端縁を裏面側へ折曲させた折返し係合部を備え、
前記接続部材は、表面に、それぞれ内側へ向くように対向状に被係合部を設け、水下側の端縁を裏面側に折り返した返し片の下面に、敷設状態において隣接する横葺き外装材のそれぞれの水下側成形部が当接する止水材を設け、
接続部材は、水下側に配設した横葺き外装材の水上側成形部に、返し片が係合し、桁行き方向に隣接する横葺き外装材は、接続部材の被係合部に、折返し係合部が係合し、接続部材の止水材に、水下側成形部が当接していることを特徴とする横葺き外装材の接続構造。
【請求項２】
接続部材の返し片は水上側へ延出し、横葺き外装材の水下側成形部に形成した延在片と略同様の長さを有することを特徴とする請求項１に記載の横葺き外装材の接続構造。
【請求項３】
接続部材の返し片は、水上側成形部と弾性的に当接していることを特徴とする請求項１又は２に記載の横葺き外装材の接続構造。
【請求項４】
横葺き外装材の水下側成形部は、少なくとも桁行き方向の端縁に、接続部材の水下側の端縁が圧接する第２止水材を取り付けていることを特徴とする請求項１〜３の何れか一項に記載の横葺き外装材の接続構造。
【請求項５】
接続部材の被係合部の水上側には、第３止水材が取り付けられ、敷設状態において桁行き方向に隣接する横葺き外装材のそれぞれの水上側成形部が圧接していることを特徴とする請求項１〜４の何れか一項に記載の横葺き外装材の接続構造。
【請求項６】
接続部材の被係合部の外側には、水流れ方向に沿う第４止水材が取り付けられ、敷設状態において横葺き外装材の面板部の裏面が圧接していることを特徴とする請求項１〜５の何れか一項に記載の横葺き外装材の接続構造。
【発明の詳細な説明】
【０００１】
【発明の属する技術分野】
本発明は、横葺き外装材を桁行き方向に接続する部分において、隙間を塞いで雨水の侵入を防ぐことができる横葺き外装材の接続構造に関する。
【０００２】
【従来の技術】
従来より、建築物における横葺き外装材の接続には、接続部材（継手部材）を用いて接続する構造が知られているが、接続部表面にカバー材を用いて施工するものは外装面上にカバー材の凹凸が表れ、意匠的に好まれない場合があるため、カバー材を用いないで施工し、屋根面を略平坦状に形成するものが提案されている（例えば特許文献１など）。
【０００３】
【特許文献１】
特開平５−９８７５０号号公報（段落番号００１３，図６）
【０００４】
特許文献１は、接続部材の表面に、それぞれ内側へ向くように対向状に被係合部を設け、桁行き方向に隣接する横葺き外装材を重合状に被覆させると共に、接続部材の被係合部に、桁行き方向の端縁に設けた折返し係合部を係合させて横葺き外装材を接続する構成である。
【０００５】
【発明が解決しようとする課題】
しかしながら、前記特許文献１のようなカバー材を用いない構造では、桁行き方向に隣接する横葺き外装材の隣接間隔において、接続部材が表面に露出することになるが、その軒棟方向の接続部分については何等考慮がなされていないので、雨水の侵入が生じ易いものであった。即ち軒棟方向の接続部分は、この隣接部分では、接続部材が軒側に配設した横葺き外装材（の棟側成形部）と係合するが、それ以外に、横葺き外装材のみが軒側の横葺き外装材（の棟側成形部）と係合する部分、接続部材に横葺き外装材が重合状に被覆した状態で軒側の横葺き外装材（の棟側成形部）と係合する部分がある。尚、接続部材に横葺き外装材を重合状に被覆するということは、接続部材の軒縁に、横葺き外装材の軒側成形部と同一形状の係合部を設けることは物理的に不可能である。そして、横葺き外装材の棟側成形部は、基本的に横葺き外装材の軒側成形部と相互に係合して雨水の侵入を防止するように成形されているので、少なくとも前記隣接部分では、接続部材と軒側の横葺き外装材との接続部分に隙間が形成されてしまい、さらに横葺き外装材の軒側成形部の側縁と接続部材との重合部分にも隙間が形成されるので、これらの隙間から雨水等が侵入する虞があり、雨仕舞性の改良が希求されるものであった。
そこで、本発明は、横葺き外装材を桁行き方向に接続するに際し、隙間を塞いで雨水の侵入を防ぐことができる横葺き外装材の接続構造を提案することを目的とする。
【０００６】
【課題を解決するための手段】
本発明は前記事情に鑑み提案されたもので、面板部の水下・水上側に相互に係合可能な水下側成形部、水上側成形部を有する横葺き外装材を接続部材を用いて桁行き方向に接続する横葺き外装材の接続構造において、前記横葺き外装材は、面板部の桁行き方向の端縁を裏面側へ折曲させた折返し係合部を備え、前記接続部材は、表面に、それぞれ内側へ向くように対向状に被係合部を設け、水下側の端縁を裏面側に折り返した返し片の下面に、敷設状態において隣接する横葺き外装材のそれぞれの水下側成形部が当接する止水材を設け、接続部材は、水下側に配設した横葺き外装材の水上側成形部に、返し片が係合し、桁行き方向に隣接する横葺き外装材は、接続部材の被係合部に、折返し係合部が係合し、接続部材の止水材に、水下側成形部が当接していることを特徴とする横葺き外装材の接続構造に関するものである。
【０００７】
【発明の実施の形態】
本発明の横葺き外装材の接続構造は、前述のように面板部１１の水下・水上側に相互に係合可能な水下側成形部１３、水上側成形部１４を有する横葺き外装材（以下、単に外装材という）１を接続部材２を用いて桁行き方向に接続する接続構造であって、接続部材２には、水下側の端縁を裏面側に折り返した返し片の下面に、水下側に配設した横葺き外装材１の面板部１１に当接すると共に、敷設状態において隣接する横葺き外装材１のそれぞれの水下側成形部１３が当接する止水材（便宜的に、以下第１止水材という）３Ａを固定し、該第１止水材３Ａにより隙間を塞ぐようにした構成である。上記当接とは、止水効果が期待できる当接を意味しており、弾性的に当接するものが望ましい。
【０００８】
本発明に用いる外装材１は、面板部１１の桁行き方向の端縁を裏面側へ折曲させた折返し係合部１２を備え、水上側・水下側の端縁には水上側成形部１４、水下側成形部１３を形成した構成である。
水上側成形部１４は、基本構成として面板部１１の水上側の端縁を表面側に折曲し、その隅部又は折曲片（以下、上向き折曲片という）１４１に形成した被係合部１４２と、上向き折曲片１４１の上端を折曲基部に向かって折り返した被保持部１４３を有する構成である。
水下側成形部１３は、基本構成として面板部１１の水下側の端縁を裏面側に折曲し、その折曲片（以下、下向き折曲片という）１３１の下端を水上側に延出させて前記被係合部１４２と係合する係合部１３２を有する構成である。
尚、係合部１３２と被係合部１４２は、相互に係合するものであれば特に形状を限定するものではなく、被保持部１４３は、図示しない保持部材に保持される部分であって、特に形状を限定するものではない。
【０００９】
図１，２に示す接続構造に用いた（図３に示す）外装材１は、被保持部１４２の水下側に位置する略Ｕ字状（断面が下方に突出する略円弧状）の延出片１４４と、下向き折曲片１３１の下端を水上側に延出させたなだらかな山状（断面が上方に突出する略円弧状）の延在片（被押さえ片）１３３とが設けられている。そして、これら延出片１４４と延在片（被押さえ片）１３３とが敷設状態において弾性的に当接している構成である。
また、水下側成形部１３の桁行き方向の端縁に、下向き折曲片１３１及び延在片１３３で形成される隅部に第２止水材３Ｂが一体的に取り付けられ、該第２止水材３Ｂには、敷設状態において、接続部材２の水下側の端縁が当接する。
【００１０】
このような構成を有する外装材１は、素材を特に限定するものではないが、代表的には概ね０．４乃至１．６ｍｍ程度の表面化粧鋼板、ラミネート鋼板、メッキ鋼板、ステンレス鋼板、アルミ合金板、チタン合金板、銅板等の公知の金属素材をロール成形その他の手段で所定の形状に成形する。尚、硬質樹脂板や炭素繊維積層板等によっても同様の形状に成形することができ、全てをそれらで施工することもできるし、前記金属素材のものと組み合わせて施工することもできる。また、外装材１の裏面には、結露防止、防音、防火対策上の理由により、必要に応じてポリエチレンフォーム、グラスウールシート等の裏貼り材を添装しても良い。図示実施例では裏貼り材は点線で符号１５で表した。
【００１１】
本発明に用いる接続部材２は、表面に、それぞれ内側へ向くように対向状に被係合部２１，２１を設け、水上側の端縁を表面側に折曲した水返し部２２、桁行き方向の端縁を表面側に折曲した水返し片２４を有し、水下側の端縁を裏面側に折り返した返し片２３の下面に、第１止水材３Ａを固定した構成である。この第１止水材３Ａは、敷設状態において桁行き方向に隣接する外装材１，１の各水下側成形部１３が当接するものであって、このような条件を満たすものであれば、特に厚みや寸法、或いは材質を限定するものではない。また、接続部材２は一部材からなるものでも、二種以上の部材を組み合わせて一体化させたものでも良く、その一体化手段についても、接着、溶着、かしめ等の公知の手段を適宜に用いて一体的に組み合わせれば良い。
また、第１止水材３Ａ並びにその他の止水材は、公知の止水材、シール材と称されるものであれば良く、例えばシリコーンゴムや、ポリウレタンフォーム、ポリスチレンフォーム、ポリエチレンフォーム等の独立発泡タイプの発泡ゴム等を用いることができ、定形材であっても、定形材と不定形材を組み合わせたものであっても良い。さらに、少なくとも表面側が非透水性であれば良く、例えば通水性の弾性体の表面（露出表面）に非透水性の表面層を形成したものであっても良い。
【００１２】
図１，２に示す接続構造に用いた（図３に示す）接続部材２は、捨て板５と、ジョイナー４とからなり、水返し部２２及び水返し片２４は捨て板５に、被係合部２１，２１、返し片２３、及び第１止水材３Ａはジョイナー４に設けられ、これら捨て板５及びジョイナー４は、接着にて一体に組み合わされている。尚、返し片２３は、外装材１，１の隙間と同等幅以上あれば良い。さらに、ジョイナー４の接続縁部を覆うように帯状の第４止水材３Ｄを一体的に取り付けている。
また、図示実施例の接続部材２の返し片２３は、水上側へ延出し、前記外装材１の水下側成形部１３に形成した延在片（被押さえ部）１３３と略同様の長さを有する。
さらに、図示実施例の接続部材２の返し片２３は、前記外装材１の水上側成形部１４に形成した延出片１４４を備え、敷設状態において延出片１４４と接続部材２の返し片２３は弾性的に当接している。
また、図示実施例の接続部材２の側縁部には、表面側へ折り返した水返し片２４，２４が形成され、被係合部２１，２１の水上側には、第３止水材３Ｃが取り付けられ、敷設状態において桁行き方向に隣接する外装材１，１のそれぞれの水上側成形部１４，１４が当接する。即ちこの第３止水材３Ｃは、外装材１，１の配設間隔以上の幅を有するものであれば良い。また、第３止水材３Ｃは、予め水上側成形部１４の外郭形状に沿うように成形しても良いし（図１（ａ）の実施例の窪み）、比較的軟質であれば窪みがない形状であっても良い。
【００１３】
図１，２に示す接続構造は、前記構成の外装材１を前記構成の接続部材２を用いて接続するものであり、その代表的な施工手順を以下に説明する。
まず、予め桁行き方向に隣接する一方の外装材１の折返し係合部１２を接続部材２の一方の被係合部２１に係合させて組み合わせる。この状態で接続部材２の水下側の端縁は、外装材１の水下側成形部１３に取り付けた第２止水材３Ｂに当接している。また、外装材１の水上側成形部１４は、接続部材２の第３止水材３Ｃに当接している。
続いて、水下側に配設した外装材１の水上側成形部１４に、前述のように組み合わせた横葺き外装材１及び接続部材２を配し、外装材１の水下側成形部１３及び接続部材２の返し片２３が係合するように配設する。
その後、配設した接続部材２の他方の被係合部２１に、桁行き方向に隣接する他方の外装材１の折返し係合部１２を係合させつつ水下側から水上側へ向かってスライドさせる。その際、図示実施例では、水下側成形部１３の延在片（被押さえ片）１３３によって、水上側成形部１４の延出片１４４を弾性に抗して押し上げる。
そして、他方の外装材１の水下側成形部１３（の係合部１３２）を、水下側に配した外装材１の水上側成形部１４（の被係合部１４２）に係合させる。
上述の手順を水下側から水上側へ向かって順次繰り返して外装材１及び接続部材２を敷設することにより、外装材１，１を接続でき、横葺き外装構造を施工することができる。
【００１４】
図１（ａ）は、桁行き方向に隣接する外装材１，１の隣接間隔（Ｘ部分）における側断面図であって、接続部材２の第１止水材３Ａが水下側に配設される外装材１の面板部１１に当接し、ジョイナー４上を流下する雨水が、水下側に配設される外装材１の面板部１１上に導かれることが明らかである。
図１（ｂ）は、接続部材２に外装材１が重合状に被覆した状態で水下側の外装材と１係合する部分（Ｙ部分）における側断面図であって、図１（ａ）との比較により、隣接する外装材１，１のそれぞれの水上側成形部１４が第３止水材３Ｃに当接していることが示されている。
また、水下側成形部１３が、第１止水材３Ａに当接していること、接続部材２（捨て板５）の水下側の端縁が、第２止水材３Ｂに当接していることが示されている。
図１（ｃ）は、外装材１のみが水下側の外装材１と係合する部分（Ｚ部分）における側断面図であって、前記図１（ａ）、及び図１（ｂ）との比較として示した。
また、接続部材２に取り付けた帯状の第４止水材３Ｄの敷設状態は、図２（ａ）〜（ｃ）に示されている。
【００１５】
このように施工された本発明の接続構造（横葺き外装構造）は、桁行き方向の接続部分に形成される隙間を第１止水材３Ａにて塞いでいるため、雨水の侵入が防止されて優れた雨仕舞性を発揮するものである。
【００１６】
要するに接続部材２の概略構成を示す図３より明らかなように、桁行き方向に隣接する外装材１，１を配設した場合に、雨水の侵入が予測される箇所は略中央の水下側の端部である。尚、図３はリブを省略している。
本発明における第１止水材３Ａは、図１（ｂ）に示されるように桁行き方向に隣接する外装材１，１の水下側成形部１３，１３と接続部材２との隙間を閉塞するので、返し片２３の裏面に雨水が回り込むことがないので、吹き込み風の作用で水下側から雨水が逆流することがあっても、雨水の侵入を確実に防止できる。また、負圧強度の高い構造となる。
特に図示実施例では、第１止水材３Ａが、水下側に配される外装材１の面板部１１と当接しているので、接続部材２と水下側に配される外装材１との隙間が閉塞され、水下側からの雨水や吹き込み風の侵入を防止することができる。
【００１７】
特に図示実施例では、前述のように接続部材２の返し片２３が、水上側へ延出し、外装材１の水下側成形部１３に形成した延在片（被押さえ部）１３３と略同様の長さを有するので、Ｘ部分における接続部材２の返し片と水下側の外装材１の水上側成形部１４との係合は、Ｚ部分における水下側成形部１３と水上側成形部１４との係合と同様な係合強度を有するものとなり、第１止水材３Ａの幅も大きくなり、前述の当接による隙間閉塞効果がより確実なものとなる。
【００１８】
また、図示実施例では、水上側成形部１４の延出片１４４は、敷設状態においてその裏面側に位置する水下側成形部１３の延在片１３３と弾性的に当接しているので、吹き上げ風などに対する負圧抑制が図られ、水下側成形部１３の抜け止め等の効果が果たされる。さらに、接続部材２の返し片２３とも弾性的に当接しているので、Ｘ部分における第１止水材３Ａと面板部１１との当接がより確実になる。
【００１９】
また、図示実施例では、水下側成形部１３の桁行き方向の端縁に、下向き折曲片１３１及び延在片１３３で形成される隅部に第２止水材３Ｂが一体的に取り付けられ、敷設状態において、接続部材２の水下側の端縁（ここで重要なのは返し片２３が形成されない捨て板５の端縁）が当接するので、雨水が接続部材２の裏面側に回り込む隙間を塞ぐことができる。
【００２０】
また、図示実施例では、接続部材２の被係合部２１，２１の水上側に、第３止水材３Ｃが取り付けられ、隣接する外装材１，１のそれぞれの水上側成形部１４が、この第３止水材３Ｃに当接するので、雨水はその側方に位置する外装材１，１のそれぞれの水上側成形部１４の裏面側に侵入することがない。
【００２１】
また、図示実施例では、接続部材２の被係合部２１，２１の外側に、水流れ方向に沿う第４止水材３Ｄを取り付けているので、外装材１の面板部１１の裏面が当接し、隙間が閉塞されるため、仮に折返し係合部１２の裏面を伝って桁行き方向に雨水が侵入してもそれ以上外側へ雨水を侵入させることがない。
尚、水上側方向の雨水の侵入は水返し部２２が阻止し、桁行き方向の雨水の侵入は水返し片２４が基本的に阻止するが、これら第３止水材３Ｃ及び第４止水材３Ｄによって、より確実に雨水の侵入を防止することができる。
【００２２】
前記図１，２の実施例のように、ジョイナー４の水下側の端縁に接続部材２の返し片２３を設けるのではなく、図４，５に示す接続構造のように、捨て板５の水下側の端縁に水返し片２３を設けるようにしても良い。また、この実施例に示すように、第１止水材３Ａを返し片２３の全幅に亘って設けるのではなく、桁行き方向に隣接する外装材１，１の間隔よりも僅かに大きく形成しても良い。
【００２３】
また、図６に示す接続構造では、返し片２３は、前記図１，２の実施例と同様にジョイナー４の水下側の端縁に設けられているが、ジョイナー４の幅とほぼ同等の横幅を有する第１止水材３Ａを設けており、さらに捨て板５とジョイナー４とを接着にて一体化するようにした例である。
【００２４】
以上本発明を図面の実施の形態に基づいて説明したが、本発明は前記実施の形態に限定されるものではなく、特許請求の範囲に記載の構成を変更しない限りどのようにでも実施することができる。
【００２５】
【発明の効果】
以上要するに本発明の横葺き外装材の接続構造は、桁行き方向の接続部分に形成される隙間を（第１）止水材にて塞いでいるため、雨水の侵入が防止されて優れた雨仕舞性を発揮するものである。また、負圧強度の高い構造とすることができる。
【００２６】
また、接続部材の返し片が、水上側へ延出し、横葺き外装材の水下側成形部に形成した延在片と略同様の長さを有する場合、水下側の外装材の水上側成形部との係合強度が高くなり、第１止水材の幅も大きくなるので、前述の隙間閉塞効果がより確実なものとなる。
【００２７】
また、接続部材の返し片は、水上側成形部と弾性的に当接している（第１）止水材と面板部との当接がより確実になる。
【００２８】
また、第１止水材が、水下側に配される外装材の面板部と当接している場合、接続部材と水下側に配される外装材との隙間が閉塞されるので、水下側からの雨水や吹き込み風の侵入を防止することができる。
【００２９】
また、水下側成形部に、第２止水材が一体的に取り付けられ、敷設状態において、接続部材の水下側の端縁が当接している場合、雨水が接続部材の裏面側に回り込む隙間を塞ぐことができる。
【００３０】
また、接続部材の被係合部の水上側に、第３止水材が取り付けられ、敷設状態において桁行き方向に隣接する横葺き外装材のそれぞれの水上側成形部が当接している場合、雨水はその側方に位置する外装材のそれぞれの水上側成形部の裏面側に侵入することがない。
【００３１】
また、接続部材の被係合部の外側に、水流れ方向に沿う第４止水材が取り付けられ、敷設状態において横葺き外装材の面板部の裏面が当接している場合、桁行き方向への水の侵入を防止することができる。
【図面の簡単な説明】
【図１】（ａ）本発明の一実施例である接続構造の桁行き方向に隣接する横葺き外装材の隣接間隔における接続部材が水下側の横葺き外装材と係合する部分を示す側断面図（矢印Ｘにおける側断面図）、（ｂ）接続部材に横葺き外装材が重合状に被覆した状態で水下側の横葺き外装材と係合する部分を示す側断面図（矢印Ｙにおける側断面図）、（ｃ）横葺き外装材のみが軒側の横葺き外装材と係合する部分を示す側断面図（矢印Ｚおける側断面図）、（ｄ）桁行き方向に隣接する横葺き外装材の一方のみを取り付けた状態の水下側の端部を示す底面図である。
【図２】（ａ）図１の接続構造において右半の横葺き外装材を欠載した水上側の平面図、（ｂ）水下側の平面図、（ｃ）桁行き方向に隣接する横葺き外装材の一方のみを取り付けた状態の断面図である。
【図３】図１の接続構造に用いた接続部材（第１止水材及びリブを省略している）及び横葺き外装材を示す斜視図である。
【図４】他の一実施例である接続構造の桁行き方向に隣接する横葺き外装材の一方のみを取り付けた状態の水下側の端部を示す底面図である。
【図５】（ａ）図４の接続構造における第４止水材の敷設状態を示す断面図、（ｂ）図３の接続構造に用いた接続部材及び外装材を示す斜視図である。
【図６】（ａ）他の一実施例である接続構造の桁行き方向に隣接する横葺き外装材の一方のみを取り付けた状態の水下側の端部を示す底面図、（ｂ）この接続構造における第４止水材の敷設状態を示す断面図である。
【符号の説明】
１  （横葺き）外装材
１１  面板部
１２  折返し係合部
１３  水下側成形部
１３３  延在片（被押さえ片）
１４  水上側成形部
１４２  被保持部
１４４  延出片
２  接続部材
２１  被係合部
２３  返し片
３Ａ  （第１）止水材
３Ｂ  第２止水材
３Ｃ  第３止水材
３Ｄ  第４止水材
４  ジョイナー
５  捨て板
【図１】
2004278065.tif 000003
【図２】
2004278065.tif 000004
【図３】
2004278065.tif 000005
【図４】
2004278065.tif 000006
【図５】
2004278065.tif 000007
【図６】
2004278065.tif 000008